(57)【要約】   【構成】保持部もしくは、印判ユニット側のどちらか一方に大きい穿孔とそれに連通する小さい穿孔を設け、他の一方の表面に略Ｌ字状又は略Ｔ字状の結合部を有し、前記小さい穿孔の端部が前記結合部と摺動し着脱自在に嵌合固定することを特徴とする印判である。【効果】本発明の印判は、連続した大きい穿孔１１と小さい穿孔１２が印判ユニット１又は印判ユニット保持部１０のどちらかに設けられ、結合部６をもう一方に設けられており、係合時に結合部６を大きい穿孔１１に挿入させ、結合部６を小さい穿孔１２の方向にスライド移動させることにより天部７に印判ユニット保持部１０の端部１３が挿入され保持部１０の底面と印字体保持部３の表面とが密接に圧着され安定した係合状態となり、捺印時に安定させ均一に押圧力を加えることが出来ことにより、鮮明な印影を得ることが可能となる。【選択図】            図１
2005096318.tif 000002
【特許請求の範囲】
【請求項１】
保持部もしくは、印判ユニット側のどちらか一方に大きい穿孔とそれに連通する小さい穿孔を設け、他の一方には表面に略Ｌ字状又は略Ｔ字状の結合部を有し、前記小さい穿孔の端部が前記結合部と摺動し着脱自在に嵌合固定することを特徴とする印判。
【発明の詳細な説明】
【技術分野】
【０００１】
本願発明は、連続多孔質の印字体からなる印判に関するもので、特に印面が容易に取替え可能な印判に関するものである。
【背景技術】
【０００２】
従来より、印字体を容易に取替え可能な印判の発明は多く存在する。
まず、実公昭５３−４８０１３号（以下、（イ）とする。）、実公昭５５−７４０７号（以下、（ロ）とする。）、特開２０００−１０８４７６号（以下、（ハ）とする。）、実開昭５６−２７９５２号（以下、（二）とする。）、実開昭５２−１３５２１７号（以下、（ホ）とする。）がある。
【０００３】
(イ)は、本発明と同様なスライド方式の印字体ホルダーであり、角溝２９と副溝３０と前記印字体ホルダーの表面に立上り板部３２を設けて、更に前記板部の上縁から外向きに張設される係止突片３３により前記副溝３０とにより挿入嵌合するものである。（イ）はこのような構成のものは、嵌合時の安定と押印時の印面へ均一な押印力作用を求めると、スライドさせる方向の全長に設けなければならずスペースを多く必要とする。そうしたことより小型の印判には不向きである。
【０００４】
（ロ）は、（イ）と同様な構成であるが、立上り板部５の側面が角溝２の両側壁部に当接する左右方向へはもちろんのこと何れかの係止突片６がいずれかの副溝３の係止端面３‘に係止される。こうすることにより、印字体ホルダー４と取付部材１がガタツクことなく保持されるものである。しかし（ロ）の印判も（イ）と同様、嵌合時の安定と押印時の印面へ均一な押印力作用を求めると、スライドさせる方向の全長に設けなければならずスペースを多く必要とする。そうしたことより小型の印判には不向きである。また、特に（ロ）では係止突片６は弾発性を有するものとして記載されており、印字体ホルダー４の着脱に大きく作用している。明細書中に記載があるように印字体ホルダーを前後にスライドさせると立上り板部５が内部に倒れこみ係止突片の係止が解かれる。このような構成であるので、本発明とその係止片又は突片の作用効果で異なるものであり、本発明が求める効果を満足しないものである。
【０００５】
（ハ）は、把持部材１と印字体ホルダー５は回転動作により係止するものである。特許請求の範囲にあるように、円形凸部２と円形凹部９を嵌合させた状態で前記把持部材１を回転させることにより突起１０と横溝３ｂが係合自在となり、前記印字体ホルダー５と前記把持部材１が安定的に着脱自在となる。こうした構成は、回転方式であるので回転にともなう部材構成が大きくなりスペースが（ハ）のように表面又は周面に大きく設ける必要となる。したがって、嵌合時の安定と押印時の印面への均一な押印力作用を求めると（ハ）のように大きく設ける必要があり、スペースが多く必要となる。
【０００６】
（二）は、印字ユニット７をホルダーの下面に設けた溝にスライド嵌合したものである。
（二）の図１、図３によると小形容器を溝８に挿入させスライド嵌合させる。従って、本願発明と構成をことにしており、スライド嵌合のために大きなスペースを必要とし、ホルダーも大きくなる。
【０００７】
（ホ）は、無端印字ベルトを基本として、印字ゴマの突起にあたる部分をベルトに設けられた孔により嵌挿入して固定されるものである。したがって（ホ）は、本発明の目的、構成とは異なるが印判をユニットとして捕らえ、組み付ける別の方法としてあげてものである。
従って、その構成は本発明と明らかに異なるものである。
以上のように、従来の発明、考案では、小さいスペースで確実に差し替え可能な印判を保持出来るものではない。
【０００８】
【特許文献１】実公昭５３−４８０１３号公報  （第４図、第６図）
【特許文献２】実公昭５５−７４０７号公報  （第１図、第３図）
【特許文献３】特開２０００−１０８４７６号公報  （第１図）
【特許文献４】実開昭５６−２７９５２号公報    （第３図）
【特許文献５】実開昭５２−１３５２１７号公報  （第２図、第３図）
【発明の開示】
【発明が解決しようとする課題】
【０００９】
本発明が解決しようとする課題は、スライド嵌合であれば（イ）、（ロ）、（ホ）の様に印判ユニットのサイドに保持形状を設けなければならず、またホルダーの下面には複雑な形状を有することになり、金型形状も複雑となりコスト高である。
【００１０】
また（ハ）などのホルダー（握り部）と印判部分を回転により嵌合する方法は、印判部分又はホルダーの周囲に嵌合部を有することになり必ず相互に嵌合する部分を円形の形状としなければ成らず形状的に制約を受けると共に円周状に嵌合部材を配置しなければならず金型も複雑となる。
こうした複雑な構成をとることなく小さいスペースでしかも嵌合時に確実にホルダー（握り部分）と印判（印判ユニット）を保持出来、押印力を均一に印面に伝える印判を提供するものである。
【課題を解決するための手段】
【００１１】
保持部もしくは、印判ユニット側のどちらか一方に大きい穿孔とそれに連通する小さい穿孔を設け、他の一方の表面に略Ｌ字状又は略Ｔ字状の結合部を有し、前記小さい穿孔の端部が前記結合部と摺動し着脱自在に嵌合固定することを特徴とする印判である。
【発明の効果】
【００１２】
本発明の印判は、連続した大きい穿孔１１と小さい穿孔１２が印判ユニット１又は印判ユニット保持部１０のどちらかに設けられ、結合部６をもう一方に設けられており、係合時に結合部６を大きい穿孔１１に挿入させ、結合部６を小さい穿孔１２の方向にスライド移動させることにより天部７に印判ユニット保持部１０の端部１３が挿入され保持部１０の底面と印字体保持部３の表面とが密接に圧着され安定した係合状態となり、捺印時に安定させ均一に押圧力を加えることが出来ことにより、鮮明な印影を得ることが可能となる。
【００１３】
また、底面の厚さＤと凡そＤの２倍の寸法で結合部６を構成できるので少ないスペースで、容易に安定した係合が得られ係合する部材スペースも少なくてすみ、デザインへの影響が少ない。
また構成的にもシンプルであるので金型も容易に作成することが出来る。
更に、大きい穿孔１１と小さい穿孔１２を複数設けると共に同数の結合部６を設けることでより係合力を強くし、捺印時に安定させ均一に押圧力を加えることが出来ことにより、鮮明な印影を得ることが可能となる。
【発明を実施するための最良の形態】
【００１４】
本発明の印判は、保持部もしくは、印判ユニット側のどちらか一方に大きい穿孔とそれに連通する小さい穿孔を設け、他の一方の表面に略Ｌ字状又は略Ｔ字状の結合部を有し、前記小さい穿孔の端部が前記結合部と摺動し着脱自在に係合固定することを特徴とする印判である。特には略Ｌ字状又は略Ｔ字状の天部とその幅Ｓが保持部の端部と同一の厚さである形態である。すなわち、成形物の面厚さにより係合できることが最良の形態である。
【実施例１】
【００１５】
本発明の実施例１を図１、図２、図３、図４、図５、図６により詳細に説明する。
１は、印判ユニットであり、印字体２と印字体保持部３から成り、必要に応じて印字体受け部４を設けて印字体２を保持するものである。
【００１６】
２は、前記したように印字体であり、インキ自給式の連続多孔質の合成ゴム（ＮＢＲ）や合成樹脂、インキ転写式の非多孔質のゴム、半多孔質の合成ゴム等、印面を有するものであればその材質、気孔状態は問わない。
【００１７】
３は、一方を開口端とする箱状の印字体保持部であり、内部に前記印字体２と必要に応じてインキ吸蔵体５を収納することが出来る。また前記印字体保持部３の開口端側に印字体受け部４を印字体２及び必要に応じてインキ吸蔵体を保持するように固定される。固定には、嵌合、接着等、印字体２が固定できればよい。有底の上面には、略Ｌ字状の結合部６を設けている。本実施例は１対の略Ｌ字状の結合部６を相対するように設けている。略Ｌ字状の結合部６は、天部７と首部８から成る。
【００１８】
前記天部７は、前記印字体保持部３の上面に平行に張設されている。
また本実施例では１対の相対する略Ｌ字状の結合部６の中心部には孔９が設けられ、印字体２及びインキ吸蔵体５の空気とインキの置換を助け、インキの噴出しを防止する。
前記略Ｌ字状の結合部６の天部７と有底の上面との間をＳとする。空間Ｓは、印判ユニット保持部１０の端部に摺動嵌合固定できる厚さである。
印字体２が非多孔質のゴムであれば、接着剤や接着部材（両面テープ等）で接着固定が可能である。また、多孔質体であれば材質により、接着も可能であるが、印字体受け部４を使用し、前記印字体受け部４は、印字体保持部３の開口端に嵌合固定又は接着固定が可能である。
【００１９】
１０は、印判ユニット保持部であり、その底面に大きい穿孔１１とこれに連続する小さい穿孔１２が設けられている。前記大きい穿孔１１の大きさは、前記相対する一対の結合部６を挿入させ、首部８と天部７を貫通させることが出来る。前記小さい穿孔１２の大きさＭは、前記相対する一対の首部８の長さＮと同一寸法である。また、小さい穿孔１２の両側の端部１３は長さＭを作る。
【００２０】
ここで本実施例の組み付け使用方法を説明する。
印判ユニット１の結合部６を印判ユニット保持部１０の大きい穿孔１１に挿入させる。前記印判ユニット１を前記印判ユニット保持部１０の底面に押圧接触させる。
そして、そのまま前記印判ユニット１を小さい穿孔１２の方向に摺動移動させる。
【００２１】
すると、天部７と上面の間にできる空間Ｓに端部１３が挿入され、印判ユニット１全体が固定される。こうした構成である結合部６と穿孔１１お呼び１２を有することで同じ印面を有する印判ユニット１又は同じ握り部１４を自由に交換可能に出来るものである。
保持力と確実な固定を得るために天部７の空間Ｓ側に凹部もしくは凸部を設け、同時に端部１３の底面に凹部もしくは凸部を設け、更に前記印判ユニット１と印判ユニット保持部１０がクリック嵌合で固定される。
【００２２】
また、取換え方法は、前記とは逆に、印判ユニット１を大きい穿孔１１の方向にスライド移動させると結合部６が大きい穿孔１１に達して印判ユニット１が取り外し可能になる。
本発明の実施例２を図７より詳細に説明する。特に実施例１と異なるとこを説明する
印判ユニット１Ａは、実施例１のＬ字状の一対の相対する結合部６の孔９の上方が繋がりＴ字状の結合部６Ａとすることも可能である。
【００２３】
本発明の実施例３は、図には無いが実施例１の様な結合部６を複数設け、同時に大きい穿孔１１と小さい穿孔１２の一対の組み合わせを前記結合部６の数だけ設けることも可能である。同様に実施例２も複数設けることが可能である。こうすることでより印判ユニット１又は１Ａをより強く嵌合固定することが出来、捺印に際して安定させることができる。
【図面の簡単な説明】
【００２４】
【図１】本発明の実施例１の分解斜視図。
【図２】本発明の実施例１の印字体保持部３の下面からの斜視図。
【図３】本発明の実施例１のＡＡ断面図。
【図４】本発明の実施例１のＢＢ断面図。
【図５】本発明の実施例１の印字体保持部３の下面説明図。
【図６】本発明の実施例１の印判ユニット１の組み付け説明図。
【図７】本発明の実施例２の斜視説明図。
【符号の説明】
【００２５】
１  ：印判ユニット
２  ：印字体
３  ：印字体保持部
４  ：印字体受け部
５  ：インキ吸蔵体
６  ：結合部
７  ：天部
８  ：首部
９  ：孔
１１  ：大きい穿孔
１２  ：小さい穿孔
１３  ：端部
１４  ：握り部
【図１】
2005096318.tif 000003
【図２】
2005096318.tif 000004
【図３】
2005096318.tif 000005
【図４】
2005096318.tif 000006
【図５】
2005096318.tif 000007
【図６】
2005096318.tif 000008
【図７】
2005096318.tif 000009